(57)【要約】【課題】前方中高部と後方中高部との間に形成された溝における表面シートが剥がれ難く、装着者に違和感を与え難く、外観も良好な吸収性物品を提供すること。【解決手段】本発明の生理用ナプキン１Ａは、表面シート２、裏面シート３及び両シート２，３間に介在する吸収体４を有する実質的に縦長のものである。吸収体４は、その幅方向中央領域（ＣＴ）の肌当接面側に隆起する中高部４０を有している。中高部４０は、別個に設けられる前方中高部４１及び後方中高部４２とからなり、前方中高部４１と後方中高部４２との間には、中間溝６２が幅方向（Ｘ方向）に延びて形成されている。生理用ナプキン１Ａにおける前方中高部４１の後方部４１ｂの高さ又は角度は中央部４１ｄの中央部４２ｄの高さ又は角度よりも小さく、及び／又は後方中高部４２の前方部４２ａ１の高さ又は角度は中央部４２ｄの高さ又は角度よりも小さく形成されている。【選択図】図１
2010131131.tif 000002
【特許請求の範囲】
【請求項１】
肌当接面を形成する表面シート、非肌当接面を形成する裏面シート及び両シート間に介在する吸収体を具備する吸収性物品であって、
前記吸収体は、その幅方向中央領域の肌当接面側に隆起する中高部を有しており、該中高部は、別個に設けられる前方中高部及び後方中高部とからなり、該前方中高部と該後方中高部との間には、前記表面シート及び前記吸収体が圧密化されて形成される中間溝が幅方向に延びて形成されており、
前記前方中高部の後方部の高さ又は角度が該前方中高部の中央部の高さ又は角度よりも小さい、及び／又は前記後方中高部の前方部の高さ又は角度が該後方中高部の中央部の高さ又は角度よりも小さい吸収性物品。
【請求項２】
前記前方中高部の中央部よりも高さ又は角度が小さい該前方中高部の後方部の密度は該前方中高部の中央部の密度と略同じである、及び／又は前記後方中高部の中央部よりも高さ又は角度が小さい該後方中高部の前方部の密度が該後方中高部の中央部の密度と略同じである請求項１に記載の吸収性物品。
【請求項３】
前記吸収性物品の平面視において、前記前方中高部の中央部よりも高さ又は角度が小さい該前方中高部の後方部は、該前方中高部の前方部よりも先細り形状に形成され、及び／又は前記後方中高部の中央部よりも高さ又は角度が小さい該後方中高部の前方部は、該後方中高部の後方部よりも先細り形状に形成されている請求項１に記載の吸収性物品。
【請求項４】
前記吸収性物品の平面視において、前記前方中高部の中央部よりも高さ又は角度が小さい該前方中高部の後方部は、該前方中高部の前方部よりも先細り形状に形成され、
前記吸収性物品の平面視において、前記中間溝は、前記後方中高部に向って凸に形成されており、該中間溝の曲線半径が、前記前方中高部の後方部の先細り形状の曲線半径よりも大きい請求項１〜３に記載の吸収性物品。
【請求項５】
請求項１に記載の吸収性物品の製造方法であって、
幅方向中央領域の一面側に隆起する前方中高部及び後方中高部とを有し、それら中高部が長手方向に所定間隔を置いて配されている吸収体を形成する吸収体形成工程を備え、
該吸収体形成工程は、前記前方中高部に対応した立体形状の前方中高部形成用凹部と前記後方中高部に対応した立体形状の後方中高部形成用凹部とからなる中高部形成用凹部を外周面に複数個備えた回転ドラムを用いて行い、
前記前方中高部形成用凹部の底面における前記後方中高部形成用凹部寄りの部分の深さが該前方中高部形成用凹部の底面における中央部の深さよりも浅い、及び／又は前記後方中高部形成用凹部の底面における前記前方中高部形成用凹部寄りの部分の深さが該後方中高部形成用凹部の底面における中央部の深さよりも浅い吸収性物品の製造方法。
【発明の詳細な説明】
【技術分野】
【０００１】
本発明は、生理用ナプキンや失禁パッド等の吸収性物品に関する。
【背景技術】
【０００２】
生理用ナプキン等の吸収性物品において、身体への密着性や漏れ防止性を向上させるために、吸収体に中高部を形成させることが知られている。例えば、特許文献１には、吸収体に吸収体の幅よりも幅狭の中高部を排液部分や長手方向全長に渡って形成させた生理用ナプキンが開示されている。また、この特許文献１には、中高部の周辺部において、表面シートと吸収体を固定して、中高部のズレ防止や形状保持を行うことが提案されている。
【０００３】
一方、吸収性物品の前方部又は後方部の何れか一方に中高部を変形させる力が発生しても、その変形させる力が他方に伝わらないようにするために、例えば、特許文献２には、中高部が、吸収性物品の前方部及び後方部に別個に設けられた前方中高部と後方中高部とからなり、前方中高部と後方中高部との間に、前方部又は後方部の変形を、互いに影響させない折り曲げ起点が設けられている吸収性物品が開示されている。この折り曲げ起点は、生理用ナプキンの表面シート及び吸収体を圧密化して形成する、いわゆるエンボス溝である。
【０００４】
しかし、特許文献２に記載の如き吸収性物品、即ち、前方中高部及び後方中高部が吸収性物品の長手方向に所定間隔を置いて配され且つ両中高部の間に表面シート及び吸収体が圧密化されてなる溝が形成されている吸収性物品においては、特に、両中高部の間に位置する溝において、両中高部を下方から支持する吸収体に接合され一体化されているべき表面シートが、該吸収体の表面から浮き上がって、その結果溝の成形性が低下したり、浮きを防止する目的に接合強度を高め過ぎると表面シートが切れてしまったりすることがあった。
【０００５】
溝の成形性に対しては、種々の対策が提案されている。例えば特許文献３には、溝の形成に用いる加圧ロールの加圧面に段差を形成して高圧搾部及び低圧搾部を設け、該加圧ロールを用いて溝を形成する方法が記載されている。また特許文献４には、吸収性物品の幅方向に延びる幅方向エンボス溝の存在領域及び長手方向に延びる縦方向エンボス溝の存在領域それぞれの大きさの差を特定範囲に規定する方法が記載されている。しかし、特許文献３及び４に記載の方法では、吸収性物品の長手方向に所定間隔を置いて配された２つの中高部の間に位置する溝における、表面シートの浮きを効果的に防止できない。
【０００６】
【特許文献１】実開平６−１５６２１号公報
【特許文献２】特開２００６−２３９１６２号公報
【特許文献３】特開２０００−１４７０１号公報
【特許文献４】特開２００３−２６５５１９号公報
【発明の開示】
【発明が解決しようとする課題】
【０００７】
従って、本発明の目的は、前方中高部と後方中高部とからなる中高部を有し、前方中高部と後方中高部との間に表面シート及び吸収体を圧密化した溝を有しているにもかかわらず、前方中高部と後方中高部との間における表面シートが剥がれ難く、装着者に違和感を与え難く、外観も良好な吸収性物品を提供することにある。
【課題を解決するための手段】
【０００８】
本発明は、肌当接面を形成する表面シート、非肌当接面を形成する裏面シート及び両シート間に介在する吸収体を具備する吸収性物品であって、前記吸収体は、その幅方向中央領域の肌当接面側に隆起する中高部を有しており、該中高部は、別個に設けられる前方中高部及び後方中高部とからなり、該前方中高部と該後方中高部との間には、前記表面シート及び前記吸収体が圧密化されて形成される中間溝が幅方向に延びて形成されており、前記前方中高部の後方部の高さ又は角度が該前方中高部の中央部の高さ又は角度よりも小さい、及び／又は前記後方中高部の前方部の高さ又は角度が該後方中高部の中央部の高さ又は角度よりも小さい吸収性物品を提供することにより前記目的を達成したものである。
【発明の効果】
【０００９】
本発明の吸収性物品によれば、前方中高部と後方中高部との間における表面シートの剥がれを防止し、装着者に対し装着感を向上させることができる。本発明の吸収性物品によれば、前方中高部と後方中高部との間における表面シートの剥がれを防止できるので、外観も良好である。
【発明を実施するための最良の形態】
【００１０】
以下、本発明の吸収性物品である生理用ナプキンの好ましい第１実施形態について、図１〜図３に基づいて説明する。
【００１１】
第１実施形態の吸収性物品（生理用ナプキン）１Ａは、図１に示すように、生理用ナプキン１Ａの長手方向に延びる中心線ＣＬに対して左右対称に形成されている。
第１実施形態の生理用ナプキン１Ａは、図１〜図３に示すように、肌当接面を形成する表面シート２、非肌当接面を形成する裏面シート３及び両シート２，３間に介在する吸収体４を有する実質的に縦長のものである。
生理用ナプキン１Ａの吸収体４は、図１及び図２に示すように、その幅方向（以下「Ｘ方向」という。Ｘ方向；中心線ＣＬに垂直な方向をいう。）中央領域（ＣＴ）の肌当接面側に隆起する中高部４０を有している。中高部４０は、別個に設けられる前方中高部４１及び後方中高部４２とからなり、前方中高部４１と後方中高部４２との間には、表面シート２及び吸収体４が圧密化されて形成される中間溝６２が幅方向（Ｘ方向）に延びて形成されている。
図２及び図３に示すように、生理用ナプキン１Ａにおける前方中高部４１の後方部４１ｂは前方中高部４１の中央部４１ｄの高さ及び角度よりも小さく形成されており、後方中高部４２の前方部４２ａは後方中高部４２の中央部４２ｄの高さ及び角度よりも小さく形成されている。
【００１２】
前方中高部４１の後方部４１ｂは、図３に示すように、前方中高部４１を長手方向（以下「Ｙ方向」という。Ｙ方向；中心線ＣＬに平行な方向をいう。）に略三等分した中の最も後方中高部４２寄りに位置する部分であって、その部分の幅方向（Ｘ方向）中央を基準とした部分である。前方中高部４１の中央部４１ｄは、前方中高部４１の長手方向（Ｙ方向）に略三等分した中の中央に位置する部分であり、前方中高部４１の前方部４１ａは、前方中高部４１の長手方向（Ｙ方向）に略三等分した中の中央部４１ｄより長手方向（Ｙ方向）前方に位置する部分である。後方中高部４２の前方部４２ａは、後方中高部４２を長手方向（Ｙ方向）に略三等分した中の最も前方中高部４１寄りに位置する部分であって、その部分の幅方向（Ｘ方向）中央を基準とした部分である。後方中高部４２の中央部４２ｄについては、前方中高部４１と同様であり、後方中高部４２の後方部４２ｂは、後方中高部４２の長手方向（Ｙ方向）に略三等分した中の中央部４２ｄより長手方向（Ｙ方向）後方に位置する部分である。
【００１３】
第１実施形態の生理用ナプキン１Ａについて、詳述すると、第１実施形態の生理用ナプキン１Ａは、図１〜図２に示すように、液透過性の表面シート２、液不透過性又は撥水性の裏面シート３及び吸収体４を具備している。表面シート２及び裏面シート３それぞれは、吸収体４よりも大きい外径寸法を有している。表面シート２及び裏面シート３は、生理用ナプキン１Ａの長手方向（Ｙ方向）の両端部において、吸収体４の長手方向（Ｙ方向）の両端部から延出し、その延出部は互いにヒートシール等により接合され、また、表面シート２は、吸収体４の長手方向（Ｙ方向）の両側部で吸収体４を包むように折り返されて裏面シート３に接着剤等により接合されて吸収性本体５を形成している。生理用ナプキン１Ａは、吸収性本体５の長手方向（Ｙ方向）の両側部に防漏壁７を有している。第１実施形態の防漏壁７は、いわゆるＴ字状のギャザーを形成している。第１実施形態の生理用ナプキン１Ａは、その長手方向（Ｙ方向）における中央部より前寄りの位置に一対のウイング部３１を有している。ウイング部３１は、裏面シート３を延出することにより形成されており、その裏面には、該ウイング部３１を、ショーツのクロッチ部の非肌当接面に固定するための粘着部（不図示）が形成されている。これらの構成は、従来品と同じである。
【００１４】
次いで、第１実施形態の生理用ナプキン１Ａの吸収体４について説明する。
第１実施形態の生理用ナプキン１Ａでは、図１及び図２に示すように、吸収体４は、裏面シート３上に配され、前方領域ｂから後方領域ｃに亘って延在する下層吸収体４３と、下層吸収体４３の幅方向（Ｘ方向）中央領域（ＣＴ）の肌当接面側に隆起する中高部４０とを有しており、中高部４０は、別個に設けられる前方中高部４１及び後方中高部４２とから形成されている。具体的には、図１に示すように、吸収体４は、下層吸収体４３の上面であって、生理用ナプキン１Ａの前方領域ｂ及び後方領域ｃにおける下層吸収体４３の肌当接面側に、下層吸収体４３より幅狭で且つ肌当接面側に凸状に隆起する前方中高部４１及び後方中高部４２を有している。ここで、「前方領域ｂ」とは、後述する中間溝６２よりも生理用ナプキン１Ａの長手方向（Ｙ方向）前方の領域をいい、「後方領域ｃ」とは、後述する中間溝６２よりも生理用ナプキン１Ａの長手方向（Ｙ方向）後方の領域をいう。
【００１５】
前方中高部４１は、下層吸収体４３より幅が狭く、長手方向（Ｙ方向）に長く形成されたものであり、図１に示すように、下層吸収体４３の幅方向（Ｘ方向）中央領域（ＣＴ）であって、ウイング部３１の長手方向（Ｙ方向）前後端に亘って形成されている。第１実施形態の前方中高部４１は、後方部４１ｂの高さが、図２に示すように、後方中高部４２に向かって漸次小さく形成されている。そのため、第１実施形態の前方中高部４１の後方部４１ｂの何れの箇所の高さも、前方中高部４１の中央部４１ｄの高さよりも小さく形成されている。また、図２に示すように、中間溝６２に近い前方中高部４１の後方部４１ｂは、傾斜して形成されているのに対して、前方中高部４１の中央部４１ｄは、長手方向（Ｙ方向）に略フラット（略１８０°）に形成されており、前方中高部４１の後方部４１ｂの傾斜の角度αは、前方中高部４１の中央部４１ｄの角度（略１８０°）よりも小さく形成されている。角度は長手方向（Ｙ方向）に沿って前方中高部４１に平行に接する線を基準としたものであり、第１実施形態の吸収体４では、図２のように、前方中高部４１の後方部４１ｂは略１８０°に形成されている。
【００１６】
前方中高部４１の後方部４１ｂの長手方向（Ｘ方向）の長さＬ１（図３参照）は、好ましくは５〜５０ｍｍ、更に好ましくは１０〜３０ｍｍである。後方部４１ｂの長さＬ１と、前方中高部４１の長手方向（Ｘ方向）の全長Ｌａとの比（Ｌ１／Ｌａ）は、好ましくは０．０５〜０．５、更に好ましくは０．１〜０．３である。
前方中高部４１の後方部４１ｂの傾斜の角度αは、好ましくは１３５〜１７８°、更に好ましくは１５０〜１７５°である。尚、角度αの測定は、最終商品形態である生理用ナプキンから前方中高部４１を取り出せない場合には、生理用ナプキンを伸張させた状態で、表面シート２上から測定する。
【００１７】
第１実施形態の前方中高部４１は、生理用ナプキン１Ａの平面視において、図３に示すように、前方中高部４１の長手方向（Ｙ方向）の前方部４１ａ及び後方部４１ｂが、何れも生理用ナプキン１Ａの長手方向（Ｙ方向）外方に向かって凸の凸曲線形状に形成されている。前方中高部４１の前方部４１ａにおける幅方向（Ｘ方向）の長さと前方中高部４１の後方部４１ｂにおける幅方向（Ｘ方向）の長さとは略同じであり、前方中高部４１の後方部４１ｂの凸曲線形状の曲線半径は、前方中高部４１の前方部４１ａの凸曲線形状の曲線半径と略同じになるように形成されている。前方中高部４１は、図１に示すように、後述する一対の外溝６１と中間溝６２とで囲まれている。
【００１８】
後方中高部４２は、下層吸収体４３より幅が狭く、長手方向（Ｙ方向）に長く形成されたものであり、図１に示すように、下層吸収体４３の幅方向（Ｘ方向）中央領域（ＣＴ）であって、中間溝６２よりも生理用ナプキン１Ａの長手方向（Ｙ方向）の後方に形成されている。第１実施形態の後方中高部４２は、前方部４２ａの高さが、図２に示すように、前方中高部４１に向かって漸次小さく形成されている。そのため、第１実施形態の後方中高部４２の前方部４２ａの何れの箇所の高さも、後方中高部４２の中央部４２ｄの高さよりも小さく形成されている。また、図２に示すように、中間溝６２に近い後方中高部４２の前方部４２ａは、傾斜して形成されているのに対して、後方中高部４２の中央部４２ｄは、長手方向（Ｙ方向）に略フラット（略１８０°）に形成されており、後方中高部４２の前方部４２ａの傾斜の角度βは、後方中高部４２の中央部４２ｄの角度（略１８０°）よりも小さく形成されている。角度は前方中高部４１と同様に、長手方向（Ｙ方向）に沿って後方中高部４２に平行に接する線を基準としたものであり、第１実施形態の吸収体４では、図２のように、後方中高部４２の中央部４２ｄは略１８０°に形成されている。
【００１９】
後方中高部４２の前方部４２ａの長手方向（Ｘ方向）の長さＬ２（図３参照）は、好ましくは５〜５０ｍｍ、更に好ましくは１０〜３０ｍｍである。また、前方部４２ａの長さＬ２と、後方中高部４２の長手方向（Ｘ方向）の全長Ｌｂとの比（Ｌ２／Ｌｂ）は、好ましくは０．０５〜０．５、更に好ましくは０．１〜０．３である。
後方中高部４２の前方部４２ａの傾斜の角度βは、好ましくは１３５〜１７８°、更に好ましくは１５０〜１７５°である。尚、角度βの測定は、最終商品形態である生理用ナプキンから前方中高部４１を取り出せない場合には、角度αと同様に測定する。
【００２０】
第１実施形態の後方中高部４２は、生理用ナプキン１Ａの平面視において、図３に示すように、後方中高部４２の後方部４２ｂ（中間溝６２に遠い方）が、後方中高部４２の前方部４２ａよりも先細り形状に形成されている。具体的には、後方中高部４２の長手方向（Ｙ方向）の前方部４２ａ及び後方部４２ｂは、図３に示すように、何れも生理用ナプキン１Ａの長手方向（Ｙ方向）外方に向かって凸の凸曲線形状に形成されており、中間溝６２に遠い後方中高部４２の後方部４２ｂの凸曲線形状の曲線半径は、中間溝６２に近い後方中高部４２の前方部４２ａの凸曲線形状の曲線半径よりも小さくなるように形成されており、後方中高部４２は、後方部４２ｂに向かって幅が漸次小さくなるように形成されている。後方中高部４２は、図１に示すように、後述する一対の後方内溝６３と中間溝６２とで囲まれている。
【００２１】
第１実施形態の前方中高部４１は、図２に示すように、前方中高部４１の後方部４１ｂの高さ及び角度αが、いずれも、前方中高部４１の中央部４１ｄの高さ及び角度（略１８０°）よりも小さくなるように形成されており、後方中高部４２は、後方中高部４２の前方部４２ａの高さ及び角度βが、いずれも、後方中高部４２の中央部４２ｄの高さ及び角度（略１８０°）よりも小さくなるように形成されている。第１実施形態の前方中高部４１の後方部４１ｂの密度は、前方中高部４１の中央部４１ｄの密度と略同じであり、後方中高部４２の前方部４２ａの密度は、後方中高部４２の中央部４２ｄの密度と略同じである。密度は、例えば以下の方法により測定できる。
【００２２】
＜密度の測定方法＞
室温下、吸収体の中高部における密度の測定部位から、縦方向（吸収性物品の長手方向）に１ｃｍ、横方向（吸収性物品の幅方向）に３ｃｍの直方体形状を切り出して測定サンプルとし、該測定サンプルの重量（ｇ）を電子天秤を用いて測定する。異なる５つの測定サンプルについて斯かる重量測定を行い（ｎ＝５）、それらの測定値の平均値を算出し、その平均値を測定サンプルの面積（1×３＝３ｃｍ2）で除して、測定サンプルの坪量（ｇ/ｃｍ2）を算出する。また室温下、前記５つの測定サンプルを定盤などの平らな物体の上に置いて、レーザー変位計を用いて各測定サンプルの前記厚み方向の厚み（ｃｍ）を測定し、それらの測定値の平均値を算出して、測定サンプルの厚みとする。そして、次式により測定サンプルの密度（ｇ/ｃｍ3）を算出する。
密度＝坪量÷厚み
【００２３】
第１実施形態の生理用ナプキン１Ａでは、図１及び図２に示すように、表面シート２及び吸収体４が圧密化されて形成されるエンボス溝を有している。エンボス溝は、図１に示すように、生理用ナプキン１Ａの長手方向に延びる中心線（ＣＬ線）に線対称的に一対設けられている。エンボス溝は、深く形成された部分とそれよりも若干浅く形成された部分とが交互に配置されて連続線を形成している。第１実施形態の生理用ナプキン１Ａでは、エンボス溝は、前方溝６１、中間溝６２、後方内溝６３及び後方外溝６４を有しており、前方外溝６１と後方外溝６４とは繋がってリング状の全周防漏溝を成している。
【００２４】
前方溝６１は、図１に示すように、生理用ナプキン１Ａの長手方向（Ｙ方向）に延びる中心線（ＣＬ線）に線対称的に一対設けられている。各前方溝６１は、前方中高部４１の側部４１ｃに沿って形成され且つ生理用ナプキン１Ａの幅方向（Ｘ方向）に凸状に形成されている。第１実施形態の生理用ナプキン１Ａの前方溝６１は、図１に示すように、前方中高部４１の長手方向（ＣＬ方向）の前方部４１ａに、生理用ナプキン１Ａの内側に括れた一対の括れ部６１ａを有し、後方部４１ｂに、生理用ナプキン１Ａの内側に括れた一対の括れ部６１ｂを有している。
【００２５】
中間溝６２は、図１及び図２に示すように、生理用ナプキン１Ａのウイング部３１の長手方向（Ｙ方向）後端近傍に形成されており、生理用ナプキン１Ａの前方中高部４１と後方中高部４２との間に形成されている。第１実施形態における中間溝６２の形状は、生理用ナプキン１Ａの平面視において、図１に示すように、生理用ナプキン１Ａの幅方向（Ｘ方向）に延び且つ後方中高部４２に向って凸に形成されている。第１実施形態の生理用ナプキン１Ａの中間溝６２の曲線半径は、前方中高部４１の後方部４１ｂの曲線半径と略同じ又は若干大きくなるように形成されている。
【００２６】
後方内溝６３は、図１に示すように、生理用ナプキン１Ａの長手方向に延びる中心線（ＣＬ線）に線対称的に一対設けられている。各後方内溝６３は、先細り形状に形成された後方中高部４２の側部４２ｃに沿って形成されている。
【００２７】
後方外溝６４は、図１に示すように、生理用ナプキン１Ａの中心線（ＣＬ線）に線対称的に一対設けられている。後方外溝６４は、後方内溝６３より生理用ナプキン１Ａの幅方向（Ｘ方向）の外方に形成されている。後方外溝６４は、生理用ナプキン１Ａの幅方向（Ｘ方向）に凸状に形成されている。後方外溝６４は、外溝６１と繋がっており、生理用ナプキン１Ａの長手方向（Ｙ方向）の前方部から後方部に亘って、連続したエンボス溝を形成している。前方溝６１、中間溝６２、後方内溝６３及び後方外溝６４の溝幅は、それぞれ1ｍｍ〜２０ｍｍである。
【００２８】
第１実施形態の生理用ナプキン１Ａの形成材料について説明する。
表面シート２、裏面シート３、吸収体４及び一対の防漏壁（ギャザー）７としては、通常、生理用ナプキン等の吸収性物品に用いられるものであれば、特に制限なく用いることができる。例えば、表面シート２としては、液透過性の不織布や、開孔フィルム、これらの積層体等を用いることができ、裏面シート３としては、樹脂フィルムや樹脂フィルムと不織布の積層体等を用いることができる。下層吸収体４３としては、パルプ等の繊維材料の繊維集合体又はこれに高吸収性ポリマーを担持させたものからを、ティッシュペーパーや透水性の不織布等の被覆材で包んでなるもの等を用いることができる。防漏壁（ギャザー）７を形成するシートとしては、フィルム、不織布、織物またはそれらの積層シート等が挙げられ、部分的または全体的に伸縮性を有することが好ましい。具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有する材料（フィルム、糸状物、不織布、織物）やこれら伸縮性の材料（弾性部材）と非伸縮性の不織布等との複合シート等が挙げられる。
【００２９】
前方中高部４１および後方中高部４２としては、パルプやコットンのような天然繊維、天然繊維以外の合成繊維、及びそれらを混合した繊維が挙げられ、吸収性の観点からパルプ系繊維から構成されていることが好ましい。フィット性の観点からは合成繊維が含まれていることが好ましい。ここで、合成繊維とは、具体的には、ポリエチレン、ポリプロピレン、ポリエステルやポリ乳酸等の樹脂より形成された単繊維や芯鞘構造繊維のような各種複合繊維、レーヨンなどの半合成繊維が含まれる。
【００３０】
前方溝６１、中間溝６２、後方内溝６３及び後方外溝６４等のエンボス溝を形成する加工法は、エンボス加工、ヒートエンボス加工、超音波エンボス加工、それらの組み合わせの加工法等が挙げられる。
【００３１】
生理用ナプキン１Ａの前方中高部４１及び後方中高部４２からなる中高部４０並びに下層吸収体４３を有する吸収体４の形成方法について図６〜図８に基づいて説明する。
生理用ナプキン１Ａの製造方法は、幅方向（Ｘ方向）中央領域の一面側に隆起する前方中高部４１及び後方中高部４２とを有し、それら中高部４１，４２が長手方向（Ｙ方向）に所定間隔を置いて配されている吸収体４を形成する吸収体形成工程を備えている。
吸収体４は、図６に示すように、下層吸収体４３を連続的に形成する第１積層ドラム１００と下層吸収体４３の一面側に中高部４０を連続的に形成する第２積層ドラム２００とを用いることにより形成される。
【００３２】
下層吸収体４３は、図６、図７に示すように、下層吸収体４３に対応した立体形状のパターンの下層吸収体形成用凹部４３０が外周面に所定間隔に複数個設けられた第１積層ドラム１００により形成される。第１積層ドラム１００は、図６に示すように、その外周面に下層吸収体４３の原料を飛散させて供給する第１供給装置１０１を備えており、第１供給装置１０１から供給された原料を下層吸収体形成用凹部４３０内に吸引堆積させ、原料堆積物を各下層吸収体形成用凹部４３０から順次離型して下層吸収体４３を連続的に製造する装置である。第１実施形態の生理用ナプキン１Ａを形成する下層吸収体形成用凹部４３０の形状は、図７（ａ）に示すように、その底面形状が第１積層ドラム１００の回転方向に長い矩形状であり、図７（ｂ）に示すように、その深さが略一定に形成されている。
【００３３】
中高部４０は、図６、図８に示すように、前方中高部４１に対応した立体形状のパターンの前方中高部形成用凹部４１０及び後方中高部４２に対応した立体形状のパターンの後方中高部形成用凹部４２０からなる中高部形成用凹部４００が外周面に所定間隔に複数個設けられた第２積層ドラム２００により形成される。第２積層ドラム２００は、図６に示すように、その外周面に前方中高部４１及び後方中高部４２の原料を飛散させて供給する第２供給装置２０１を備えており、第２供給装置２０１から供給された原料を中高部形成用凹部４００内に吸引堆積させ、原料堆積物を各中高部形成用凹部４００から順次離型して中高部４０を連続的に、各下層吸収体４３の一面側に製造する装置である。
【００３４】
第１実施形態の生理用ナプキン１Ａを形成する前方中高部形成用凹部４１０及び後方中高部形成用凹部４２０の形状について図８に基づいて説明する。前方中高部形成用凹部４１０及び後方中高部形成用凹部４２０の形状は、図８（ａ）に示すように、それらの平面形状が、上述した第１実施形態の前方中高部４１及び後方中高部４２の平面形状と同じように形成されている（図３参照）。生理用ナプキン１Ａにおいては、前方中高部形成用凹部４１０は、前方中高部形成用凹部４１０の底面における後方中高部形成用凹部４２０寄りの部分の深さが、前方中高部形成用凹部４１０の底面における中央部の深さよりも浅く形成されており、さらに後方中高部形成用凹部４２０は、後方中高部形成用凹部４２０の底面における前方中高部形成用凹部４１０寄りの部分の深さが、後方中高部形成用凹部４２０の底面における中央部の深さよりも浅く形成されている。具体的には、前方中高部形成用凹部４１０の深さは、図８（ｂ）に示すように、前方中高部形成用凹部４１０の回転方向の全長を略三等分した中の後方中高部形成用凹部４２０寄りの１／３の部分４１１が後方中高部形成用凹部４２０側に向かって徐々に浅くなっており、残りの２／３の部分が略一定の深さに形成されている。後方中高部形成用凹部４２０の深さは、図８（ｂ）に示すように、後方中高部形成用凹部４２０の回転方向の全長を略三等分した中の前方中高部形成用凹部４１０寄りの１／３の部分４２１が前方中高部形成用凹部４１０側に向かって徐々に浅くなっており、残りの２／３の部分が略一定の深さに形成されている。後方中高部形成用凹部４２０及び前方中高部形成用凹部４１０は、図８（ｂ）に示すように、後方中高部形成用凹部４２０の２／３の部分の深さと、前方中高部形成用凹部４１０の２／３の部分の深さとが、略同じに形成されており、下層吸収体形成用凹部４３０の深さよりも深く形成されている。
【００３５】
第２積層ドラム２００により形成された前方中高部４１は、前方中高部４１の後方部４１ｂの構成材料の密度が、前方中高部４１の長手方向（Ｙ方向）中央部４１ｄの密度と略同じとなる。また第２積層ドラム２００により形成された後方中高部４２は、後方中高部４２の前方部４２ａの密度が、後方中高部４２の長手方向（Ｙ方向）中央部４２ｄの密度と略同じとなる。このように、前方中高部４１及び後方中高部４２の何れの部分においても密度が同じであるため、形成された吸収体４は、柔らかくて身体にフィットする。また、装着感やフィット性が良好となる。
【００３６】
前方中高部４１及び後方中高部４２を構成する材料が異なる場合には、下層吸収体４３に対応した立体形状のパターンの凹部が外周面に複数個設けられた第１積層ドラムと、前方中高部４１に対応した立体形状のパターンの凹部が外周面に複数個設けられた第２積層ドラムと、後方中高部４２に対応した立体形状のパターンの凹部が外周面に複数個設けられた第３積層ドラムとからなる３つの積層ドラムを使用することにより形成される。
【００３７】
第１積層ドラムにおいて、先ず第１積層ドラムの凹部に下層吸収体４３の構成材料を吸引し、次に、凹部に吸引された構成材料を転写して、下層吸収体４３を形成する。次に、第２積層ドラムにおいて、第２積層ドラムの前方中高部４１のパターンの凹部に、前方中高部４１の構成材料を吸引し、第３積層ドラムにおいて、第３積層ドラムの後方中高部４２のパターンの凹部に、後方中高部４２の構成材料を吸引する。次に、第２積層ドラム及び第３積層ドラムの凹部に吸引された構成材料を、第１積層ドラムで形成した下層吸収体４３の一面上に、転写して、下層吸収体４３上に前方中高部４１及び後方中高部４２を有する吸収体４を形成することができる。なお、下層吸収体４３は前述の方法には制限されず、例えば、直接吸収紙上に連続的にパルプを積繊して、後工程で前後をカットして下層吸収体を成形してもよい。
【００３８】
第１実施形態の生理用ナプキン１Ａは、図１及び図２に示すように、吸収体４の上面であって、生理用ナプキン１Ａの前方部ｂ及び後方部ｃに、別個に設けられた前方中高部４１及び後方中高部４２を有している。そのため、身体形状において大きな屈曲ができる部分に中高部４０がないために、その部分の製品の剛性が小さくなり、身体形状にフィットしやすくなる。
【００３９】
また、第１実施形態の生理用ナプキン１Ａは、図２に示すように、前方中高部４１の後方部４１ｂ（中間溝６２に近い方の端面）の高さが、前方中高部４１の中央部４１ｄの高さよりも小さく形成されている。そのため、表面シート２及び吸収体４が圧密化されて形成される中間溝６２に対して、前方中高部４１の構成材料の復元力が生じ難く、表面シート２が吸収体４から剥がれ難く、装着者に違和感を与え難く、外観も良好である。第１実施形態の生理用ナプキン１Ａは、さらに、後方中高部４２の前方部４２ａ（中間溝６２に近い方の端面）の高さが、後方中高部４２の中央部４２ｄの高さよりも小さく形成されている。そのため、中間溝６２に対して、後方中高部４２の構成材料の復元力が生じ難く、一層、表面シート２が吸収体４からさらに剥がれ難く、装着者に違和感を与え難く、外観も良好である。
【００４０】
また、第１実施形態の生理用ナプキン１Ａは、図３に示すように、後方中高部４２の前方部４２ａ（中間溝６２に近い方）が、後方中高部４２の後方部４２ｂよりも先細りとなっている。このように後方中高部４２を形成することにより、装着者の身体にフィットし易く、後方への経血の流れを防止することができる。
【００４１】
次に、本発明の第２実施形態の生理用ナプキンについて、図４に基づいて説明する。
第２実施形態の生理用ナプキン１Ｂについては、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００４２】
第２実施形態の生理用ナプキン１Ｂの前方中高部４１は、生理用ナプキン１Ｂの平面視において、図４に示すように、前方中高部４１の後方部４１ｂが、前方中高部４１の前方部４１ａよりも先細り形状に形成されている。具体的には、前方中高部４１の長手方向（Ｙ方向）の前方部４１ａ及び後方部４１ｂは、図４に示すように、何れも生理用ナプキン１Ｂの長手方向（Ｙ方向）外方に向かって凸の凸曲線形状に形成されており、中間溝６２に近い前方中高部４１の後方部４１ｂの凸曲線形状の曲線半径が、前方中高部４１の前方部４１ａの凸曲線形状の曲線半径よりも小さくなるように形成されており、前方中高部４１の後方部４２ｂは、後方中高部４２に向かって幅が漸次小さくなるように形成されている。第２実施形態の生理用ナプキン１Ｂの前方中高部４１の後方部４１ｂの曲線半径は、中間溝６２の曲線半径よりも小さくなるように形成されている。即ち中間溝６２の曲線半径の方が、前方中高部４１の後方部４１ｂの曲線半径よりも大きく形成されている。
【００４３】
第２実施形態の生理用ナプキン１Ｂの後方中高部４２は、生理用ナプキン１Ｂの平面視において、図４に示すように、後方中高部４２の前方部４２ａが、後方中高部４２の後方部４２ｂよりも先細り形状に形成されている。具体的には、後方中高部４２の長手方向（Ｙ方向）の前方部４２ａ及び後方部４２ｂは、図４に示すように、何れも生理用ナプキン１Ｂの長手方向（Ｙ方向）外方に向かって凸の凸曲線形状に形成されており、中間溝６２に近い後方中高部４２の前方部４２ａの凸曲線形状の曲線半径が、後方中高部４２の後方部４２ｂの凸曲線形状の曲線半径よりも小さくなるように形成されており、後方中高部４２の前方部４２ａは、前方中高部４１に向かって幅が漸次小さくなるように形成されている。
【００４４】
上述した本発明の第２実施形態の生理用ナプキン１Ｂを使用した際の作用効果について説明する。
第２実施形態の生理用ナプキン１Ｂは、第１実施形態の生理用ナプキン１Ａと同様の効果が得られる。以下、第１実施形態の生理用ナプキン１Ａと異なる効果について説明する。
【００４５】
第２実施形態の生理用ナプキン１Ｂは、図４に示すように、前方中高部４１の後方部４１ｂ（中間溝６２に近い方）が、前方中高部４１の前方部４１ａよりも先細りとなっている。そのため、前方中高部４１の構成材料の復元力が、前方部４１ａよりも後方部４１ｂの方が低く、中間溝６２における表面シート２が吸収体４から剥がれ難く、装着者に違和感を与え難く、外観も良好である。第２実施形態の生理用ナプキン１Ｂは、さらに、後方中高部４２の前方部４２ａ（中間溝６２に近い方）が、後方中高部４２の後方部４２ｂよりも先細りとなっている。そのため、中間溝６２における表面シート２が吸収体４からさらに剥がれ難く、装着者に違和感を与え難く、外観も良好である。
【００４６】
また、第２実施形態の生理用ナプキン１Ｂは、図１，図４に示すように、中間溝６２の曲線半径が、前方中高部４１の後方部４１ｂの先細り形状の曲線半径よりも大きくなるように形成されている。従って、前方中高部４１の後方部４１ｂの端と中間溝６２との間に間隔を設けることができる。そのため、中間溝６２に対して、前方中高部４１の構成材料の復元力が生じ難く、表面シート２が吸収体４から剥がれ難く、装着者に違和感を与え難く、外観も良好である。
【００４７】
次に、本発明の第３実施形態の生理用ナプキンについて、図５に基づいて説明する。
第３実施形態の生理用ナプキン１Ｃについては、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００４８】
第３実施形態の生理用ナプキン１Ｃの前方中高部４１は、図５に示すように、その後方部４１ｂが、段階的に傾斜している。具体的には、後方部４１ｂは、図５に示すように、後方中高部４２に向かって漸次小さく形成されている傾斜部４１ｂ１と、傾斜部４１ｂ１に連設して高さが略一定となっている水平部４１ｂ２とを有している。前方中高部４１の後方部４１ｂ以外の部分、例えば前方部４１ａ、中央部４１ｄ等は、図５に示すように、高さが略一定であるため、前方中高部４１の後方部４１ｂは、段階的に傾斜するように形成されている。
【００４９】
前方中高部４１における後方部４１ｂの水平部４１ｂ２の長手方向（Ｘ方向）の長さＬ３（図５参照）は、Ｌ１より短く、好ましくは５〜５０ｍｍ、更に好ましくは５〜２０ｍｍである。
【００５０】
第３実施形態の生理用ナプキン１Ｃの後方中高部４２は、図５に示すように、その前方部４２ａが、段階的に傾斜している。具体的には、前方部４２ａは、図５に示すように、その高さが前方中高部４１に向かって漸次小さく形成されている傾斜部４２ａ１と、傾斜部４２ａ１に連設して高さが略一定となっている水平部４２ａ２とを有している。後方中高部４２の前方部４２ａ以外の部分、例えば後方部４２ｂ、中央部４２ｄ等は、図５に示すように、高さが略一定であるため、後方中高部４２の前方部４２ａは、段階的に傾斜するように形成されている。
【００５１】
後方中高部４２における前方部４２ａの水平部４２ａ２の長手方向（Ｘ方向）の長さＬ４（図５参照）は、Ｌ２より短く、好ましくは５〜５０ｍｍ、更に好ましくは５〜２０ｍｍである。
【００５２】
上述した本発明の第３実施形態の生理用ナプキン１Ｃを使用した際の作用効果について説明する。
第３実施形態の生理用ナプキン１Ｃは、第１実施形態の生理用ナプキン１Ａと同様の効果が得られる。以下、第１実施形態の生理用ナプキン１Ａと異なる効果について説明する。
【００５３】
第３実施形態の生理用ナプキン１Ｃは、図４に示すように、前方吸収体４１の傾斜部４１ｂ1と水平部４１ｂ２の境界、および後方吸収体４２の傾斜部４２ａ１と水平部４２ａ２の境界において、その部分が屈曲しやすくなり、より体にフィットしやすくなる。
【００５４】
本発明の吸収性物品は、上述の第１実施形態、第２実施形態、第３実施形態の生理用ナプキン１Ａ，１Ｂ，１Ｃに何ら制限されるものではなく、上述の第１、第２及び第３実施形態の生理用ナプキンにおける各構成要件は、本発明の趣旨を損なわない範囲で、適宜変更可能である。
【００５５】
例えば、上述の第１実施形態、第２実施形態、第３実施形態の生理用ナプキン１Ａ，１Ｂ，１Ｃにおいては、図２〜図５に示すように、中高部４０は、前方中高部４１及び後方中高部４２の２つの中高部から形成されているが、２つ以上の中高部から形成されていてもよい。
【００５６】
また、上述の第１実施形態、第２実施形態、第３実施形態の生理用ナプキン１Ａ，１Ｂ，１Ｃにおいては、図２，図５に示すように、前方中高部４１の後方部４１ｂの高さは、前方中高部４１の中央部４１ｄの高さよりも小さく形成されているが、前方中高部４１の前方部４１ａの高さよりも小さく形成されていてもよく、後方中高部４２の前方部４２ａ又は後方部４２ｂの高さよりも小さく形成されていてもよい。同様に、後方中高部４２の前方部４２ａの高さは、後方中高部４２の後方部４２ｂの高さよりも小さく形成されていてもよく、前方中高部４１の前方部４１ａ又は後方部４１ｂの高さよりも小さく形成されていてもよい。
【００５７】
また、上述の第１実施形態、第２実施形態、第３実施形態の生理用ナプキン１Ａ，１Ｂ，１Ｃにおいては、図２，図５に示すように、前方中高部４１の後方部４１ｂの高さは、前方中高部４１の中央部４１ｄの高さよりも小さく形成されており、且つ後方中高部４２の前方部４２ａの高さは、後方中高部４２の中央部４２ｄの高さよりも小さく形成されているが、前方中高部４１及び後方中高部４２の少なくとも一方が要件を満たしていればよい。
【００５８】
また、上述の第１実施形態、第２実施形態の生理用ナプキン１Ａ，１Ｂにおいては、図２に示すように、前方中高部４１の後方部４１ｂは前方中高部４１の中央部４１ｄの高さ及び角度よりも小さく形成されており、後方中高部４２の前方部４２ａは後方中高部４２の中央部４２ｄの高さ及び角度よりも小さく形成されているが、高さ及び角度の少なくとも一方が要件を満たしていればよい。また、角度が小さい又は高さが小さいというのは、前方中高部４１の後方部４１ｂ又は後方中高部４２の前方部４２ａの全体の角度や高さが小さい必要はない。
【００５９】
また、上述の第１実施形態、第２実施形態、第３実施形態の生理用ナプキン１Ａ，１Ｂ，１Ｃにおいては、図１に示すように、後方内溝６３及び後方外溝６４を備えているが、備えてなくてもよい。
【００６０】
本発明の吸収性物品は、生理用ナプキン以外にも、例えば、失禁者用パッド、パンティーライナー等に好適に用いることができる。
【図面の簡単な説明】
【００６１】
【図１】本発明の第１実施形態である生理用ナプキンの斜視図である。
【図２】図１に示す生理用ナプキンのＹ１−Ｙ１線断面図である。
【図３】図１に示す生理用ナプキンの中高部の平面図である。
【図４】本発明の第２実施形態の生理用ナプキンの中高部の平面図である。
【図５】本発明の第３実施形態の生理用ナプキンの断面図である。
【図６】本発明の生理用ナプキンの吸収体を形成する工程の概略図である。
【図７】（ａ）は、第１積層ドラムの外周面の部分平面図であり、（ｂ）は、（ａ）のＸ１−Ｘ１線断面図である。
【図８】（ａ）は、第２積層ドラムの外周面の部分平面図であり、（ｂ）は、（ａ）のＸ２−Ｘ２線断面図である。
【符号の説明】
【００６２】
１  生理用ナプキン
２  表面シート
３  裏面シート
３１  ウイング部
４  吸収体
４０  中高部
４１  前方中高部
４１ａ  前方中高部の長手方向の前方部
４１ｂ  前方中高部の長手方向の後方部
４１ｂ１  傾斜部、４１ｂ２  水平部
４１ｃ  前方中高部の側部
４１ｄ  前方中高部の長手方向の中央部
４２  後方中高部
４２ａ  後方中高部の長手方向の前方部
４２ａ１  傾斜部、４２ａ２  水平部
４２ｂ  後方中高部の長手方向の後方部
４２ｃ  後方中高部の側部
４２ｄ  後方中高部の長手方向の中央部
４３  下層吸収体
５  吸収性本体
６１  前方溝
６１ａ，６１ｂ  括れ部
６２  中間溝
６３  後方内溝
６４  後方外溝
７  防漏壁（ギャザー）
１００  第１積層ドラム
１０１  第１供給装置
２００  第２積層ドラム
２０１  第２供給装置
４００  中高部形成用凹部
４１０  前方中高部形成用凹部
４２０  後方中高部形成用凹部
４３０  下層吸収体形成用凹部
【図１】
2010131131.tif 000003
【図２】
2010131131.tif 000004
【図３】
2010131131.tif 000005
【図４】
2010131131.tif 000006
【図５】
2010131131.tif 000007
【図６】
2010131131.tif 000008
【図７】
2010131131.tif 000009
【図８】
2010131131.tif 000010